(57)【要約】  【課題】スパウト付きパウチをフックに引っ掛けた状態で安心して運搬することが可能な可搬陳列装置を提供する。  【解決手段】背板１０と、フック２０とからなり、フックは、ベース２１と、左右一対のアーム２２，２３とからなり、左右のアームの先端近傍にはアームの外面から突出する第一外突起２２ｄ、２３ｄと第二外突起２２ｅ，２３ｅとが形成されるとともに、第一外突起より奥側のアームの内面には内突起２２ｃ，２３ｃが設けられ、さらに左右のアームの先端を挿通可能な一対の窓孔３１，３２が設けられ、アームが窓孔に挿通されたときに第一外突起と前記第二外突起との間で係止される前カバー３０を備えている。【選択図】図１
2019202065.tif 000002
【特許請求の範囲】
【請求項１】
背板と、スパウト付きパウチのスパウト部を引っ掛ける長溝が設けられたフックとからなる可搬陳列装置であって、
前記フックは、ベースと、前記ベースの表面側から互いに平行に伸びる左右一対のアームとからなり、前記ベースの裏面側は固定手段により前記背板に固定され、前記長溝は前記左右のアーム間に挟まれた内側空間によって形成され、
前記左右のアームの先端近傍にはアームの外面から突出する第一外突起とさらにその奥の第二外突起とが形成されるとともに、前記左右のアームの先端近傍の前記第一外突起より奥側のアームの内面には内突起が設けられ、
さらに前記左右のアームの先端を挿通可能な一対の窓孔が設けられ、前記左右のアームが前記窓孔に挿通されたときに前記第一外突起と前記第二外突起との間で係止される前カバーを備えたことを特徴とする可搬陳列装置。
【請求項２】
前記第一外突起は各アームの先端側から奥側に進むにつれてアーム外側に高くなる傾斜面が形成されている請求項１に記載の可搬陳列装置。
【請求項３】
前記第一外突起は各アームの上側が下側よりも低くなるように斜めにカット面で切出されている請求項２に記載の可搬陳列装置。
【発明の詳細な説明】
【技術分野】
【０００１】
本発明は、店舗等においてスパウト付きパウチの商品をフックに吊り下げた状態で陳列する運搬可能な可搬陳列装置に関する。
【背景技術】
【０００２】
飲料品等の液体を封入したスパウト付きパウチの商品を、店舗等において種々の陳列方法で販売する方法が提案されている。
【０００３】
例えば、スパウト付きパウチを吊り下げて陳列する陳列方法として、平行に離間させた一対の第一杆部材と第二杆部材とからなる吊下部を有するフック陳列具により、スパウト上部のキャップとスパウト下部のフランジとの間を支えて吊り下げた状態で陳列する陳列方法が開示されている（特許文献１参照）。
このフック陳列具は、売り場に設置されている陳列棚に取り付けた状態で使用され、吊下部の基端部に設けた差込部からスパウト付きパウチを追加補充できるようにしてあり、また、吊下部の先端部に設けた出入部から顧客が随時商品を取り出すことができるようにしてある。
【０００４】
また、スパウト付きパウチのスパウト部を引っ掛けるための長溝を有する支持器（フック）と、吊紐付きの紙ボードとにより構成され、この支持器を、紙ボードの係止孔に起伏可能に係止しておき、不使用時には支持器が前方に突き出ないように直立させておくことで、支持器が畳まれた状態になって嵩張ることなく梱包できるようにした物品陳列板が開示されている（特許文献２参照）。
【先行技術文献】
【特許文献】
【０００５】
【特許文献１】特許第４７７９０６０号公報
【特許文献２】特開２００５−１３０９６７号公報
【発明の概要】
【発明が解決しようとする課題】
【０００６】
スーパー等の小売店舗では、陳列中のスパウト付きパウチの残数が少なくなったり売り切れたりすると補充する必要がある。
売り場の陳列棚に取り付けてある陳列フック等に、その場でスパウト付きパウチを一つ一つ補充するとなると、補充作業中は売り場にいる客が近寄れなくなる。そのため、客の邪魔にならないように、予めバックヤードでスパウト付きパウチを陳列フックに補充し、陳列フックにスパウト付きパウチを吊り下げた状態のままで、バックヤードから売り場に運搬するようにすることが望ましい。しかしながら特許文献１に開示されているような陳列棚に直に取り付けて使用するフック陳列具は、陳列棚から外して運搬することは想定されていない。
【０００７】
特許文献２に開示されている物品陳列板は、不使用時には支持器（フック）を直立状態（畳んだ状態）にしてバックヤードに収納しておき、使用時に支持器（フック）を起立させて使用可能な状態にする。
この物品陳列板も、通常はバックヤードで支持器（フック）を起立させておくが、運搬中にスパウト付きパウチが落ちないように、売り場に運搬してからスパウト付きパウチを支持器に引っ掛けて使用することになる。しかし、売り場での補充作業を避けるために、物品陳列板が運搬可能であることを利用して、起立させた支持器（フック）に、バックヤードでスパウト付きパウチを引っ掛けておき、吊り下げた状態のまま運搬する使用方法も一応は可能である。
【０００８】
しかしながら、この物品陳列板を用いてスパウト付きパウチを支持器（フック）の長溝に引っ掛けた状態で確実に運搬するには、長溝の出入口が下向きに傾斜しないように、例えば紙ボードを両手で水平に支えて商品が落下しないように注意しながら運ばなければならず、片手で持ち運ぶことができないため不便である。
【０００９】
特に複数の物品陳列板をまとめて運ぶような場合には吊紐を付けて、吊紐を持って一度に同時に運搬できるようにすることが望ましい。しかしながら、紙ボードや支持器（フック）自体は軽量であり、液体が充填されているスパウト付きパウチはこれらに比べると比較的重量であるため、仮に、支持器（フック）の長溝にスパウト付きパウチを引っ掛けて紙ボードの吊紐を持ち上げると、重心が支持器（フック）側の前方に偏り、紙ボードが大きく前傾するようになる。そのため、スパウト付きパウチが長溝から滑り落ちてしまうことになる。
【００１０】
なお、長溝に引っ掛けたスパウト付きパウチの外れを防止するための突部を、長溝の先端に設けることが記載されているが、これは斜め上向きに向けられている長溝に陳列中のスパウト付きパウチが振動等で簡単に外れないようにするための突部である。長溝の先端からは商品を取出す必要があるので、この突部は弾性的に簡単に広がるようにしてある。長溝の出入口が下向きに傾斜してしまったときに、比較的重量のあるスパウト付きパウチが慣性で滑り落ちようとする動きを、この突起で停止させることは困難である。特に、スパウト付きパウチのスパウト部の幅と長溝の溝幅との間隙が大きい場合は簡単に滑り落ちてしまうこととなる。
【００１１】
さらに、売り場で陳列中に何等かの理由で商品の陳列場所を変更する必要が生じたり、別の店舗に商品を移動する必要が生じたりしたときに、吊り下げてあるスパウト付きパウチをすべて片付けてから、再び新しい陳列場所で支持器（フック）に引っ掛ける作業を行うのは煩わしい。
【００１２】
そこで本発明は、バックヤードでスパウト付きパウチをフックに引っ掛けた状態で、そのまま、安心して運搬することが可能な可搬陳列装置を提供することを目的とする。
また、既にフックに吊り下げた状態で陳列してあるスパウト付きパウチを、フックから外すことなく確実に運搬することができる可搬陳列装置を提供することを目的とする。
【課題を解決するための手段】
【００１３】
上記課題を解決するためになされた本発明の可搬陳列装置は、背板と、スパウト付きパウチのスパウト部を引っ掛ける長溝が設けられたフックとからなる可搬陳列装置であって、前記フックは、ベースと、前記ベースの表面側から互いに平行に伸びる左右一対のアームとからなり、前記ベースの裏面側は固定手段により前記背板に固定され、前記長溝は前記左右のアーム間に挟まれた内側空間によって形成され、
前記左右のアームの先端近傍にはアームの外面から突出する第一外突起とさらにその奥の第二外突起とが形成されるとともに、前記左右のアームの先端近傍の前記第一外突起より奥側のアームの内面には内突起が設けられ、
さらに前記左右のアームの先端を挿通可能な一対の窓孔が設けられ、前記左右のアームが前記窓孔に挿通されたときに前記第一外突起と前記第二外突起との間で係止される前カバーを備えている。
【発明の効果】
【００１４】
本発明の可搬運搬装置では、背板に固定されているフックの長溝にスパウト付きパウチのスパウト部を引っ掛けていく。このときは左右のアームの弾性でアーム先端の内突起間が容易に拡がり、簡単にスパウト付きパウチを引っ掛けることができる。続いて前カバーの窓孔にアームの先端を挿通させて、前カバーの窓孔を第一外突起と第二外突起の間に係止する。この前カバーが取り付けられると落下防止カバーとして働くようになる。すなわち、前カバーが取り付けられた状態でスパウト付きパウチを前方にスライドさせようとすると、スパウト部が左右のアーム先端の内突起を押し広げようとするが、前カバーが第一外突起、第二外突起間に係止してあり、アーム先端が弾性的に拡がることを前カバーが阻止することになるため、左右のアームの内突起間も拡がることができず、したがってスパウト付きパウチは内突起を超えて前方にスライドすることができない。たとえアームを下向きに傾斜させても内突起間を超えることができないのでスパウト付きパウチが誤って落下することがなくなる。よってスパウト付きパウチの落下を気にすることなく安心して運搬することができる。
【００１５】
上記発明において、前記第一外突起は各アームの先端側から奥側に進むにつれてアーム外側に高くなる傾斜面が形成されていてもよい。これにより左右の第一外突起の先端側の幅が、左右の第一外突起の奥側の幅よりも小さいので、前カバーの窓孔を第一外突起先端に挿通しやすくすることができ、第一外突起の先端が挿通されてしまうと、その後は前カバーを奥側に押すだけで第一外突起が弾性的に内側に撓むようになり、前カバーが第一外突起を超えるまで押し込むことができるようになる。そして前カバーが第一外突起を超えると、第一外突起の内側への撓みが解消するので、前カバーの窓枠部分が第一外突起の奥側の段差と係合するようになり前カバーの前方(アーム先端)側へ戻ろうとするときの移動が制限される。
【００１６】
また、前記第一外突起は各アームの上側が下側よりも低くなるように斜めにカット面で切出されていてもよい。
前カバーの下側をつまんで、上側に回転させる動き（すなわちパウチが振動して前カバーに当たったときに同様の上側に回転する動きとなる）をした場合に、前カバーは外れにくくなり、上側をつまんで、下側に回転させる動き（パウチが振動しても生じにくい動き）をした場合に、前カバーを外しやすくすることができる。
【図面の簡単な説明】
【００１７】
【図１】本発明の一実施形態である可搬陳列装置の構成および使用状態を示す斜視図。
【図２】図１の可搬陳列装置を側方から見た図。
【図３】図１の可搬陳列装置を上方から見た図。
【図４】図１のフック部分の斜視図。
【図５】図１のフック部分の平面図。
【図６】図１のフック部分の側面図。
【図７】図１のフック部分の正面図。
【図８】図１の前カバーの正面図
【図９】フック２０が前傾した状態でのスパウト付きパウチＰの移動を示す図。
【発明を実施するための形態】
【００１８】
以下、本発明の可搬陳列装置について図面に基づいて説明する。図１は本発明の一実施形態である可搬陳列装置の構成及び使用状態を示す斜視図であり、図２は側方から見た図、図３は上方から見た図である。
【００１９】
この可搬陳列装置は、背板１０とフック２０とからなる。背板１０は段ボール紙、樹脂板、金属板等で形成され、上部に吊紐１１を取り付けるための吊り孔１２が形成してある。また、背板１０にはフック２０を固定するための複数組の角孔１３、１４が、フック２０が取り付けられる位置に合わせて形成してある。
フック２０には、以下で詳述するように、スパウト付きパウチＰが吊り下げられるとともに、段ボール紙等で形成される前カバー３０を取り付けることができるようにしてある。なお、図１〜図３では説明の便宜上、左アーム２２、右アーム２３の長さはスパウト付きパウチＰが1つ吊り下げられる長さにしてあるが、言うまでもなく、アーム長さを長くすれば（図９参照）、複数のスパウト付きパウチＰを吊り下げるようにすることが可能である。
【００２０】
図４はフック２０の斜視図であり、図５は平面図であり、図６は右側面図であり、図７は正面図である。また、図８は前カバー３０の正面図である。
【００２１】
フック２０は樹脂成形によるプラスチックで形成され、背板１０と面接するベース２１と、ベース２１の表面側から上斜め前方に延伸する左アーム２２、右アーム２３とで骨格が形成される。
ベース２１の裏面側には上裏フック２４、下裏フック２５が形成してあり、背板１０の角孔１３、１４に係止することでフック２０が背板１０に固定されるようにしてある。
【００２２】
左アーム２２、右アーム２３は互いに平行に延び、左右のアーム間に挟まれた内側空間は長溝２６を形成する。なお、左アーム２２は底壁２２ａと側壁２２ｂとにより、右アーム２３は底壁２３ａと側壁２３ｂとにより、それぞれ断面がＬ字構造としてあり、底壁２２ａ、２３ａにスパウト付きパウチが吊り下げられたときの荷重で簡単に撓まないようにしてある。
【００２３】
左アーム２２の先端近傍、右アーム２３の先端近傍には、内突起２２ｃ、２３ｃが底壁２２ａ、２３ａの内面側に形成してある。内突起２２ｃ、２３ｃは、平面視でアーム先端から円弧状に徐々に長溝２６の出入口が狭くなるように変化していき、長溝２６の横幅Ｌが最も狭くなる位置を超えると再び横幅Ｌが少し拡がるようにしてある。また、内突起２２ｃ、２３ｃの先端側は斜め上側に傾斜させてある。
【００２４】
左アーム２２の先端近傍、右アーム２３の先端近傍には、側壁２２ｂ、２３ｂの外面側に、第一外突起２２ｄ、２３ｄと、その奥に第二外突起２２ｅ、２３ｅとが形成してある。第一外突起２２ｄ、２３ｄは、各アームの先端側から奥側に進むにつれてアーム外側（側壁２２ｂ、２３ｂの外側）に高さが増すような傾斜面が形成されている。さらに第一外突起２２ｄ、２３ｄは各アームの上側が下側よりも低くなるように、斜めのカット面２２ｆ、２３ｆで切出されている。
【００２５】
内突起２２ｃ、２３ｃと第一外突起２２ｄ、２３ｄとの位置関係は、内突起２２ｃ、２３ｃによって横幅Ｌが最も狭くなる位置（内突起２２ｃ、２３ｃの高さピークの位置）が、第一外突起２２ｄ、２３ｄよりも奥側になるようにしてある。
【００２６】
第二外突起２２ｅ，２３ｅは、第一外突起２２ｄ、２３ｄの最大高さよりも高くしてあり、前カバー３０を奥側へ押し込む際のストッパとして機能するようにしてある。
【００２７】
前カバー３０は、方形の平板からなり、段ボール紙や樹脂板で作成される。前カバー３０には左アーム２２が挿通される窓孔３１（角孔）と、右アーム２３が挿通される窓孔３２（角孔）が形成してある。窓孔３１，３２間の最大距離Ｍは、側壁２２ｂ、２３ｂの外面間の距離とほぼ一致するようにしてあり、これにより、前カバー３０が第一外突起２２ｄと第二外突起２２ｅとの間まで挿入されたときにこれらの突起間に挟まれて係止されるようにしてある。
【００２８】
次に本発明の可搬陳列装置の使用動作について説明する。作業者はバックヤードにおいて、可搬陳列装置を図１〜図３に示した状態にする。すなわち、吊紐１１で背板１０を吊り、（前カバー３０がない状態で）フック２０の左アーム２２（底壁２２ａ）と右アーム２３（底壁２３ａ）にスパウト付きパウチＰのスパウト部ＰＳ（のフランジ部分）を長溝２６に引っ掛ける。スパウト部ＰＳは長溝２６の出入り口部分を通過する際に、内突起２２ｃ、２３ｃと接触するが、左アーム２２、右アーム２３の弾性によって内突起２２ｃ、２３ｃ間の横幅Ｌが拡がることで大きな抵抗を受けずに、容易に通過することができる。内突起２２ｃ、２３ｃを通過すると、スパウト部ＰＳは左アーム２２と右アーム２３との間をほとんど抵抗なく長溝２６の奥まで押し込むことができる。
【００２９】
続いて、前カバー３０の窓孔３１、３２に、左アーム２２、右アーム２３の先端を挿通させる。そして前カバー３０を奥に押し込むと、窓孔３１、３２が第一外突起２２ｄ、２３ｄの外側の傾斜面に当接する。このとき左アーム２２、右アーム２３は、弾性により内突起２２ｃ、２３ｃ間の横幅Ｌが縮まるようになり、前カバー３０は容易に小さな抵抗を受けながら奥へ移動する。そして第一外突起２２ｄ、２３ｄの傾斜面が終わるまで押し込むと、前カバー３０は第一外突起２２ｄ、２３ｄと第二外突起２２ｅ、２３ｅとの間に嵌り込む。既述のように、窓孔３１，３２間の最大距離Ｍは、側壁２２ｂ、２３ｂの外面間の距離とほぼ一致するようにしてあるので、前カバー３０は第一外突起２２ｄ、２３ｄと第二外突起２２ｅ、２３ｅとにより、外れることなく緩やかに保持される。
【００３０】
この状態で、作業者が吊紐１１を手でもって本発明の可搬陳列装置を移動しようとすると、背板１０の表側には重量のあるスパウト付きパウチＰが吊り下げられているのに対し、背板１０の裏側には重量のあるものはない。よって重量バランスが崩れており、背板１０は前側が下向きになるようにして傾斜するようになり、フック２０も前傾することになる。
【００３１】
図９はフック２０が前傾した状態でのスパウト付きパウチＰの移動を示す図である。前カバー３０を取り付けていないときは図９（ａ）に示すように、奥側から移動してきたスパウト付きパウチのスパウト部ＰＳは、内突起２２ｃ、２３ｃに当たり、慣性力によりさらに内突起２２ｃ、２３ｃを前方に押そうとする。このときは左右のアーム２２、２３は弾性で簡単に開くことができるのでスパウト部ＰＳはそのまま前方に進んでフック２０から滑り落ちるようになる。
【００３２】
一方、前カバー３０を取り付けたときには図９（ｂ）に示すように、奥側から移動してきたスパウト付きパウチのスパウト部ＰＳは、内突起２２ｃ、２３ｃに当たり、慣性力によりさらに内突起２２ｃ、２３ｃを前方に押そうとする。このときは前カバー３０が左右のアーム２２、２３が弾性で開くことを阻止する。よってスパウト部ＰＳは内突起２２ｃ、２３ｃに当接した状態で停止させられるので、フック２０から飛び出すことはない。
このように、前カバー３０を装着することにより、たとえフック２０が前傾状態になってもスパウト付きパウチの落下を確実に阻止することができる。
【００３３】
取り付けた前カバー３０を外すには、スパウト部ＰＳを奥側に移動し、左右のアーム２２、２３の弾性を利用してアーム間の距離を縮めることにより外すことができる。
左右のアーム２２、２３の第一外突起２２ｄ、２３ｄには、上側にカット面２２ｆ、２３ｆが形成してある。図２に示すように前カバー３０の上側をつまんで下側に回転して外すときと、下側をつまんで上側に回転して外す場合とがあるが、カット面２２ｆ、２３ｆにより、前者の場合は取り外すときに「返り」がないので簡単に取り外すことができ、後者の場合は取り外すときに「返り」があって前カバー３０がカット面２２ｆ、２３ｆの下側でひっかかりやすく、取外しにくくなっている。このようにすることで、例えばスパウト付きパウチＰが吊り下げられた状態で振動すると前カバー３０の下側に衝突するようになるが、前カバー３０の下側をつまんで上側に回転して外す場合と同様に前カバー３０がカット面の下側で引っかかり、たとえ衝突しても前カバー３０がはずれにくくなっている。
【００３４】
以上、本発明の実施形態について説明したが、本発明は上記の態様に限られず、変形実施してもよいことは言うまでもない。
例えば、本実施形態では各アームを底壁２２a、２３aと側壁２２ｂ、２３ｂとによるＬ型構造としたが、スパウト部ＰＳを引っ掛けて吊り下げることができる構造であればよい。
また、ベース２１を背板１０に上裏フック２４、下裏フック２５で固定しているが、これ以外でもよい。例えばベース２１を着脱自在にする必要がなければネジ止め等でも構わないし、接着剤で固定を補強したりしてもよい。
【産業上の利用可能性】
【００３５】
本発明は運搬可能な陳列装置として利用できる。
【符号の説明】
【００３６】
１０  背板
１１  吊紐
２０  フック
２１  ベース
２２、２３  左アーム、右アーム
２２ａ、２３ａ  底壁
２２ｂ、２３ｂ  側壁
２２ｃ、２３ｃ  内突起
２２ｄ、２３ｄ  第一外突起
２２ｅ、２３ｅ  第二外突起
２６  長溝
３０  前カバー
３１、３２  角孔
Ｐ  スパウト付きパウチ
ＰＳ  スパウト部
【図１】
2019202065.tif 000003
【図２】
2019202065.tif 000004
【図３】
2019202065.tif 000005
【図４】
2019202065.tif 000006
【図５】
2019202065.tif 000007
【図６】
2019202065.tif 000008
【図７】
2019202065.tif 000009
【図８】
2019202065.tif 000010
【図９】
2019202065.tif 000011